(57)【要約】  ＨＡＲＱ１を使用する通信システムでは、ＡＣＫ／ＮＡＣＫフィードバックが送信されていないときのＡＣＫの誤検出の問題を、ユーザ端末にダウンリンク制御チャネルで送信されるスケジューリング情報の信頼性を、ＡＣＫ／ＮＡＣＫフィードバックを送信するためにユーザ端末が第１アップリンクチャネルを利用すると予測されるか、第２アップリンクチャネルを利用すると予測されるかによって変わるように変化させることにより解決する。ＡＣＫ／ＮＡＣＫフィードバックを送信するためにユーザ端末が第１チャネルを利用すると予測される場合、基地局はスケジューリング情報をユーザ端末に通常の信頼性で送信する。ユーザ端末がＡＣＫ／ＮＡＣＫフィードバックを第２アップリンクチャネルで送信すると予測される場合、基地局はシグナリング情報をユーザ端末に高度の信頼性で送信する。シグナリング情報の信頼性は、例えばダウンリンク制御チャネルの送信電力を大きくする、集約レベルを上げる、またはこれらを組み合わせることにより高めることができる。
2011522464.tif 000002
【特許請求の範囲】
【請求項１】
ダウンリンク共有チャネルでユーザ端末に送信されるデータパケットに関するスケジューリング情報を送信する、基地局により実行される方法であって、前記方法は：
前記ダウンリンク共有チャネルでユーザ端末に送信されるデータパケット群のアクノリッジメントを送信するために、前記ユーザ端末が第１アップリンクチャネルを利用すると予測されるか、第２アップリンクチャネルを利用すると予測されるかを判断し；
前記アクノリッジメントを送信するために前記ユーザ端末が前記第１アップリンクチャネルを利用すると予測される場合に、前記スケジューリング情報を前記基地局から前記ユーザ端末に通常の信頼性で送信し；
前記アクノリッジメントを送信するために前記ユーザ端末が前記第２アップリンクチャネルを利用すると予測される場合に、前記スケジューリング情報を前記基地局から前記ユーザ端末に高度の信頼性で送信する、方法。
【請求項２】
前記スケジューリング情報を前記基地局から前記ユーザ端末に通常の信頼性で送信することが、前記スケジューリング情報を、所望のエラー率を達成するように選択される通常の送信電力で送信することを含む、請求項１に記載の方法。
【請求項３】
前記スケジューリング情報を前記基地局から前記ユーザ端末に高度の信頼性で送信することが、前記スケジューリング情報を、前記通常の送信電力よりも高い送信電力で送信することにより、前記所望のエラー率を低減することを含む、請求項２に記載の方法。
【請求項４】
前記スケジューリング情報を前記基地局から前記ユーザ端末に通常の信頼性で送信することが、前記スケジューリング情報を、所望のエラー率を達成するように選択される通常の集約レベルで送信することを含む、請求項１に記載の方法。
【請求項５】
前記スケジューリング情報を前記基地局から前記ユーザ端末に高度の信頼性で送信することが、前記スケジューリング情報を、前記通常の集約レベルより上位の集約レベルで送信することにより、前記所望のエラー率を低減することを含む、請求項４に記載の方法。
【請求項６】
前記ダウンリンク共有チャネルが物理ダウンリンク共有チャネルを含み、かつ制御情報が前記基地局によって前記ユーザ端末に物理ダウンリンク制御チャネルで送信される、ロングタームエボリューションシステムのための請求項１に記載の方法。
【請求項７】
前記第１アップリンクチャネルは物理アップリンク制御チャネルを含み、かつ前記第２アップリンクチャネルは物理アップリンク共有チャネルを含む、請求項６に記載の方法。
【請求項８】
データを１つ以上のユーザ端末にダウンリンク共有チャネルで送信する基地局であって、前記基地局は：
信号をユーザ端末に前記ダウンリンク共有チャネルで送信するトランシーバと；
前記ダウンリンク共有チャネルを介する前記ユーザ端末への送信をスケジューリングするスケジューラを含むベースバンドプロセッサと、を備え、前記ベースバンドプロセッサは：
ユーザ端末に前記ダウンリンク共有チャネルで送信されるデータパケット群のアクノリッジメントを送信するために、前記ユーザ端末が第１アップリンクチャネルを利用すると予測されるか、第２アップリンクチャネルを利用すると予測されるかを判断し；
前記アクノリッジメントを送信するために前記ユーザ端末が前記第１アップリンクチャネルを利用すると予測される場合に、スケジューリング情報を前記基地局から前記ユーザ端末に通常の信頼性で送信し；
前記アクノリッジメントを送信するために前記ユーザ端末が前記第２アップリンクチャネルを利用すると予測される場合に、前記スケジューリング情報を前記基地局から前記ユーザ端末に高度の信頼性で送信する、
ように構成される、基地局。
【請求項９】
前記ベースバンドプロセッサは、前記スケジューリング情報を、所望のエラー率を達成するように選択される通常の送信電力で送信することにより、前記スケジューリング情報を通常の信頼性で送信する、請求項８に記載の基地局。
【請求項１０】
前記ベースバンドプロセッサは、前記スケジューリング情報を、前記通常の送信電力よりも高い送信電力で送信して前記所望のエラー率を低減することにより、前記スケジューリング情報を高度の信頼性で送信する、請求項９に記載の基地局。
【請求項１１】
前記ベースバンドプロセッサは、前記スケジューリング情報を、所望のエラー率を達成するように選択される通常の集約レベルで送信することにより、前記スケジューリング情報を通常の信頼性で送信する、請求項８に記載の基地局。
【請求項１２】
前記ベースバンドプロセッサは、前記スケジューリング情報を、前記通常の集約レベルより上位の集約レベルで送信して前記所望のエラー率を低減することにより、前記スケジューリング情報を高度の信頼性で送信する、請求項１１に記載の基地局。
【請求項１３】
前記ダウンリンク共有チャネルが物理ダウンリンク共有チャネルを含み、かつ制御情報が前記基地局によって前記ユーザ端末に物理ダウンリンク制御チャネルで送信される、ロングタームエボリューションシステムのための請求項８に記載の基地局。
【請求項１４】
前記第１アップリンクチャネルは物理アップリンク制御チャネルを含み、かつ前記第２アップリンクチャネルは物理アップリンク共有チャネルを含む、請求項１３に記載の基地局。
【発明の詳細な説明】
【技術分野】
【０００１】
本出願は、２００８年５月１５日に出願された米国仮特許出願第６１／０５３，２３７号の優先権を主張するものであり、この米国仮特許出願は、本明細書において参照されることにより、当該出願の内容が本明細書に組み込まれる。
【０００２】
本発明は概して、データをダウンリンク共有チャネルで送信するためのデータ送信プロトコルに関するものであり、特にハイブリッド自動再送要求プロトコルの信頼性を向上させる方法及び装置に関するものである。
【背景技術】
【０００３】
ＬＴＥ規格の物理ダウンリンク共有チャネル（ＰＤＳＣＨ）は、複数のユーザ端末が共有する時間及び周波数多重化チャネルである。これらのユーザ端末は、チャネル品質表示（ＣＱＩ）レポートを基地局に定期的に送信する。ＣＱＩレポートは、ユーザ端末の受信機により観測される瞬時チャネル状態を示す。送信時間間隔（ＴＴＩ）と一括表記される１ｍｓの各サブフレーム間隔では、基地局のスケジューラは、１つ以上のユーザ端末をスケジューリングしてＰＤＳＣＨ上のデータを受信し、ダウンリンク送信の送信フォーマットを決定する。データを所定の時間間隔で受信するようにスケジューリングされたユーザ端末及び送信フォーマットの識別情報は、ユーザ端末に物理ダウンリンク制御チャネル（ＰＤＣＣＨ）で送信される。
【０００４】
ハイブリッド自動再送要求（ＨＡＲＱ）は、データをＰＤＳＣＨで送信している間に生じるエラーを低減するために使用される。基地局が、ユーザ端末が送信をＰＤＳＣＨで受信するようにスケジューリングされていると示すと、ユーザ端末は、ＰＤＳＣＨを復号化し、肯定のアクノリッジメントまたは否定のアクノリッジメント（ＡＣＫ／ＮＡＣＫ）のいずれかを基地局に送信する必要がある。ＡＣＫ／ＮＡＣＫによって基地局に、データパケットをユーザ端末が正しく受信したか否かについて通知する。データパケットをユーザ端末が正しく受信する場合、基地局は、新規データパケットの送信に進むことができる。データパケットをユーザ端末が正しく受信することがない場合、基地局は、元の送信を繰り返すか、または更に別のリダンダンシデータを送信して、既に送信されているデータパケットの復号化を可能にするかのいずれかを行ってもよい。
【０００５】
ユーザ端末は、ユーザ端末が物理アップリンク共有チャネル（ＰＵＳＣＨ）で送信を行なうようにスケジューリングされているか否かによって変わる２つの可能なアプローチのうちの１つを使用して、ＡＣＫ／ＮＡＣＫを基地局に送信することができる。ユーザ端末が、ＡＣＫ／ＮＡＣＫが送信されているときに送信をＰＵＳＣＨで行なうようにはスケジューリングされていない場合、ユーザ端末は、ＡＣＫ／ＮＡＣＫを物理アップリンク制御チャネル（ＰＵＣＣＨ）で送信する。しかしながら、ユーザ端末が、データをＰＵＳＣＨで送信するようにスケジューリングされる場合、ユーザ端末は、割り当てられたリソースの一部を利用して、ＡＣＫ／ＮＡＣＫをＰＵＳＣＨで送信する。
【０００６】
ユーザ端末は、当該ユーザ端末がデータをダウンリンク共有チャネルで受信するようにスケジューリングされている場合にのみ、ＡＣＫ／ＮＡＣＫフィードバックを基地局に送信する。無線通信チャネルの性質に起因して、ユーザ端末が、ＰＤＣＣＨで送信されるスケジューリングメッセージを復号化できない可能性がある。ユーザ端末が、ＰＤＣＣＨで送信されるスケジューリングメッセージを復号化できない場合、基地局は、当該基地局がＡＣＫ／ＮＡＣＫフィードバックを受信すると予測されるＰＵＳＣＨでユーザデータを受信することになる。この状況においては、アクノリッジメントがユーザ端末から送信されなかった場合に、基地局が、ＰＵＳＣＨ上で送信されるユーザデータを、肯定のアクノリッジメント（ＡＣＫ）として誤って解釈するある程度の可能性がある。このシナリオを本明細書では、ＡＣＫの誤検出シナリオと表記する。「ＡＣＫの誤検出」が生じる場合、基地局は、ユーザ端末が送信パケットの受信に成功したと考え、ユーザ端末がダウンリンクを利用するように次にスケジューリングされた時点で新規データを送信することになる。従って、ユーザ端末は、より上位の層の再送プロトコル（例えば、ＲＲＣ（無線リソース制御）層）を利用して、紛失データを要求することが必要になり、これによって大きな遅延が生じる可能性がある。
【０００７】
ＡＣＫの紛失はさほど大きな問題ではないが、生じる可能性もある。ＡＣＫの紛失は、ユーザ端末が、基地局が検出できないＡＣＫを送信する場合に生じる。ＡＣＫの紛失が生じる場合、基地局は、ユーザ端末が既に受信しているデータをユーザ端末に再送信して、不必要にシステムリソースを浪費してしまう。
【０００８】
「ＡＣＫの誤検出」の問題を解決しようとする先行技術の試みでは、ＡＣＫ／ＮＡＣＫフィードバックの信頼性を向上させて、基地局が、ＰＵＳＣＨで送信されるユーザデータをＡＣＫとして誤って解釈することを防止することに焦点を当てている。１つのアプローチでは、ＡＣＫ／ＮＡＣＫビットを繰り返す回数を増やす。一般的に、繰り返し回数を増やすと、ＡＣＫ／ＮＡＣＫフィードバックが送信されなかった場合のＡＣＫの誤検出が生じる確率が低くなる。しかしながら、ＡＣＫの誤検出を許容レベルにまで減らすために必要とされる繰り返し回数によって、ユーザデータに利用することができるＰＵＳＣＨリソースが大幅に少なくなるので、スループットが低くなる。この解決策では、ＡＣＫの紛失の問題を解決することもできない。
【０００９】
ＡＣＫの誤検出の回数を減らす別のアプローチでは、アップリンクスケジューリンググラントにおける予約ビットを指定して、ＰＵＳＣＨ内のリソースをＡＣＫ／ＮＡＣＫフィードバックのために予約すべきか否かについてユーザ端末に通知する。更に詳細には、基地局は、当該基地局がユーザ端末をスケジューリングし、ＰＵＳＣＨを利用してＡＣＫ／ＮＡＣＫフィードバックを予測する場合に、予約ビットを「１」に設定することにより、ユーザ端末に指示して、ＡＣＫ／ＮＡＣＫフィードバックのためにＰＵＳＣＨ上のリソースを予約させることができる。ユーザ端末がＰＤＣＣＨを復号化できない場合、当該ユーザ端末は、予約リソースを利用してＮＡＣＫを送信する。しかしながら、予約アプローチは、ＰＵＳＣＨに関連するＵＬスケジューリンググラントの存在に依存しているので、全ての環境において適用することができる訳ではない。従って、当該アプローチは、ユーザ端末が非適応的な再送信を行なっている場合、またはユーザ端末が半永続的なＰＵＳＣＨで送信を行なっている場合に適用することができず、これらの場合は共に、ＬＴＥにおいて普通に生じると予測される。この解決策では、ＡＣＫの紛失の問題を解決することもできない。
【００１０】
ＡＣＫの誤検出の問題に対する別のアプローチでは、ユーザ端末がＰＵＳＣＨでＡＣＫ／ＮＡＣＫフィードバックを送信している場合に、ユーザ端末が送信するＰＵＳＣＨ  ＣＲＣビットをユーザ端末識別番号でマスクする。このアプローチは、正常なＨＡＲＱプロセスを妨害するので、実行が難しい。第１に、ユーザ端末が前のデータブロックを再送信しているときは、ＰＵＳＣＨ  ＣＲＣビットは変更することができない。通常１０〜４０％の範囲に収まるＰＵＳＣＨブロックエラー率（ＢＬＥＲ）は、ＡＣＫ／ＮＡＣＫエラー率の値よりもずっと大きい。従って、ユーザ端末がＣＲＣをユーザ端末識別番号でマスクする場合でも、ＰＵＳＣＨブロック全体がエラーになっているために、マスクされたＣＲＣビット及びマスクされていないＣＲＣビットの両方が故障していることを基地局が検出する可能性が非常に高い。従って、基地局は依然として、基準の解決策における問題と同じ不確実性問題に常に直面している。第２に、前のＰＤＳＣＨのＡＣＫ／ＮＡＣＫフィードバック信号は、ＰＵＳＣＨが復号化されるまで認識することができない。これによって、ＨＡＲＱ往復時間に追加の遅延が生じであろう。その結果、ＨＡＲＱプロセスの回数を増やす必要があるか、または基地局ハードウェア全体の規模を決め直す必要がある。
【００１１】
従って、ＡＣＫ／ＮＡＣＫがユーザ端末から送信されないときに、ＡＣＫの誤検出が検出される確率を低くする新規のアプローチが依然として必要である。
【発明の概要】
【００１２】
本発明は、データをユーザ端末にダウンリンク共有チャネルで送信し、ＡＣＫ／ＮＡＣＫフィードバックを第１または第２アップリンクチャネルで送信することができる移動体通信システムのＨＡＲＱプロセスに関する。本発明は、ＡＣＫ／ＮＡＣＫフィードバックが送信されないときのＡＣＫの誤検出の問題を、ユーザ端末がデータパケットを受信するようにスケジューリングされる場合に、ユーザ端末にダウンリンク制御チャネル（例えば、ＰＤＣＣＨ）で送信されるスケジューリング情報の信頼性を、ユーザ端末が第１アップリンクチャネル（例えば、ＰＵＣＣＨ）または第２アップリンクチャネル（例えば、ＰＵＳＣＨ）を利用してＡＣＫ／ＮＡＣＫフィードバックを行なうと予測されるか否かによって変わるように変化させることにより解決する。代表的な実施構成では、第１及び第２アップリンクチャネルのシグナリングパラメータは、第１アップリンクチャネルが、より高い信頼性及びより低いエラー率を有するように設計される。ユーザ端末が第１チャネルを利用してＡＣＫ／ＮＡＣＫフィードバックを送信すると予測される場合、基地局はスケジューリング情報をユーザ端末に、通常の信頼性のダウンリンク制御チャネルで送信することができる。ユーザ端末がＡＣＫ／ＮＡＣＫフィードバックを第２アップリンクチャネルで送信すると予測される場合、基地局はシグナリング情報をユーザ端末に、高度の信頼性のダウンリンク制御チャネルで送信することができる。シグナリング情報の信頼性は、例えばダウンリンク制御チャネルの送信電力を大きくする、集約レベルを上げる、またはこれらの操作を組み合わせることにより高めることができる。
【図面の簡単な説明】
【００１３】
【図１】図１は、例示的な移動体通信システムを示している。
【図２】図２は、データをダウンリンク共有チャネルで受信するようにスケジューリングされたユーザ端末にスケジューリング情報を送信する例示的な手順を示している。
【図３】図３は、移動体通信システムの例示的な基地局を示しており、この基地局は、ユーザ端末をスケジューリングしてデータをダウンリンク共有チャネルで受信し、スケジューリング情報をユーザ端末にダウンリンク制御チャネルで送信するように構成される。
【発明を実施するための形態】
【００１４】
ここで図面を参照すると、図１は、移動体通信ネットワーク１０内のユーザ端末１００を示している。ユーザ端末１００は、例えば携帯電話機、携帯情報端末、スマートホン、ラップトップコンピュータ、ハンドヘルドコンピュータ、または無線通信機能を有する他のデバイスを含むことができる。ユーザ端末１００は、移動体通信ネットワーク１０の通信セルまたは通信セクタ１２内で基地局２０と通信する。ユーザ端末１００は、１つ以上のダウンリンク（ＤＬ）チャネルで信号を基地局２０から受信し、１つ以上のアップリンク（ＵＬ）チャネルで信号を基地局２０に送信する。
【００１５】
例示のために、ロングタームエボリューション（ＬＴＥ）システムに関連して本発明の例示的な実施形態を説明する。しかしながら、この技術分野の当業者であれば、本発明は、広帯域符号分割多元接続（ＷＣＤＭＡ）システム及びＷｉＭＡＸ（ＩＥＥＥ  ８０２．１６）システムを含む他の無線通信システムに更に広く適用することができることが理解できるであろう。
【００１６】
ＬＴＥシステムでは、データはユーザ端末１００に、物理ダウンリンク共有チャネル（ＰＤＳＣＨ）として知られるダウンリンクチャネルで送信される。ＰＤＳＣＨは、複数のユーザ端末１００が共有する時間多重化／周波数多重化チャネルである。送信時間間隔（ＴＴＩ）と一括表記される１ｍｓの各サブフレーム間隔では、基地局２０内のスケジューラが、１つ以上のユーザ端末１００をスケジューリングしてデータをＰＤＳＣＨで受信する。データを所定のＴＴＩで受信するようにスケジューリングされたユーザ端末１００は、ユーザ端末１００からのチャネル品質表示（ＣＱＩ）レポートに基づいて選択される。このＣＱＩレポートは、ユーザ端末１００の受信機が観測した瞬時チャネル状態を示す。基地局２０はまた、ユーザ端末１００からのＣＱＩレポートを利用して、ダウンリンク送信の送信フォーマットを選択する。この送信フォーマットは、例えば所望のエラー性能を実現するように選択される転送ブロックサイズ、変調方式、及びコーディング方式を含む。
【００１７】
データを所定の時間間隔で受信するようにスケジューリングされたユーザ端末１００の送信フォーマット及び識別情報は、ダウンリンクスケジューリングメッセージに載せて、ＬＴＥ通信規格において物理ダウンリンク制御チャネル（ＰＤＣＣＨ）と表記されるダウンリンク制御チャネルでユーザ端末１００に送信される。ＰＤＣＣＨは、ダウンリンク、転送フォーマット、ＨＡＲＱ情報及び転送ブロックサイズのようなダウンリンク制御情報（ＤＣＩ）を送信するために使用される制御チャネルである。各ユーザ端末１００には、ユーザ端末１００を識別するために使用される１６ビットの無線ネットワーク一時識別子（ＲＮＴＩ）またはセル無線ネットワーク一時識別子（Ｃ−ＲＮＴＩ）が割り当てられる。基地局２０がユーザ端末１００をスケジューリングする場合、当該基地局は、スケジューリングされたユーザ端末１００のＲＮＴＩを、ＰＤＣＣＨで送信されるダウンリンクスケジューリングメッセージに挿入することにより、ユーザ端末１００に、当該ユーザ端末がデータをＰＤＳＣＨで受信するようにスケジューリングされていることを通知する。ユーザ端末１００が、当該ユーザ端末自身のＲＮＴＩを含むスケジューリングメッセージを受信すると、ユーザ端末１００は、ダウンリンクスケジューリングメッセージで指示される転送フォーマットを利用して、ＰＤＳＣＨを介した関連データ送信を復号化する。
【００１８】
ハイブリッド自動再送要求（ＨＡＲＱ）を使用して、データをＰＤＳＣＨで送信している間に生じるエラーを低減する。基地局２０が、ユーザ端末１００が送信をＰＤＳＣＨで受信するようにスケジューリングされていることを示すと、ユーザ端末１００は、ＰＤＳＣＨを復号化し、アクノリッジメントメッセージを基地局２０に送信する。ＡＣＫ／ＮＡＣＫは、データパケットをユーザ端末１００が正しく受信したか否かを基地局２０に通知する。アクノリッジメントメッセージは、復号化に成功したことを示す肯定のアクノリッジメント（ＡＣＫ）メッセージまたは復号化に失敗したことを示す否定のアクノリッジメント（ＮＡＣＫ）メッセージのいずれかとすることができる。ユーザ端末１００から受信するアクノリッジメントメッセージに基づいて、基地局２０は、新規データ（ＡＣＫを受信した場合）を送信すべきか、または前のデータ（ＮＡＣＫを受信した場合）を再送信すべきかを判断する。この技術分野の当業者であれば、再送信に、元の送信に含まれない追加のビットが含まれる（インクリメンタルリダンダンシー：増加冗長性）可能性があることが理解できるであろう。
【００１９】
ユーザ端末１００は、ユーザ端末１００が物理アップリンク共有チャネル（ＰＵＳＣＨ）で送信を行なうようにスケジューリングされているか否かによって変わる２つの可能なアプローチのうちの１つを使用して、ＡＣＫ／ＮＡＣＫを基地局２０に送信することができる。ユーザ端末１００が、ＡＣＫ／ＮＡＣＫが送信されているときにデータをＰＵＳＣＨで送信するようにはスケジューリングされていない場合、ユーザ端末１００は、物理アップリンク制御チャネル（ＰＵＣＣＨ）でＡＣＫ／ＮＡＣＫを送信する。しかしながら、ユーザ端末１００が、ＰＵＳＣＨでデータを送信するようにスケジューリングされている場合、ユーザ端末１００は、割り当てられたリソース群の一部を利用して、ＡＣＫ／ＮＡＣＫをＰＵＳＣＨで送信する。
【００２０】
ユーザ端末１００は、当該ユーザ端末１００がデータをダウンリンク共有チャネルで受信するようにスケジューリングされている場合にのみ、ＡＣＫ／ＮＡＣＫフィードバックを基地局２０に送信する。無線通信チャネルの性質に起因して、ユーザ端末１００が、ＰＤＣＣＨで送信されるスケジューリングメッセージを復号化することができない虞がある。ユーザ端末１００が、ＰＤＣＣＨで送信されるスケジューリングメッセージを復号化することができない場合、基地局２０はユーザデータを、当該基地局がＡＣＫ／ＮＡＣＫフィードバックを受信すると予測されるＰＵＳＣＨで受信することになる。この状況では、基地局２０が、アクノリッジメントがユーザ端末１００から送信されなかったときに、ＰＵＳＣＨで送信されるユーザデータを肯定のアクノリッジメント（ＡＣＫ）として誤って解釈する可能性がある程度ある。このシナリオを本明細書では、「ＡＣＫの誤検出」シナリオと表記する。ＡＣＫの誤検出が生じる場合、基地局２０は、ユーザ端末１００が送信パケットの受信に成功したと考え、ユーザ端末１００がダウンリンクを利用するように次にスケジューリングされる時点で新規データを送信することになる。このように、ユーザ端末１００は、より上位の層の再送プロトコル（例えば、ＲＲＣ層の）を利用して、紛失データを要求することが必要になり、これによって大きな遅延が生じ得る。
【００２１】
「ＡＣＫの誤検出」の問題を解決しようとする先行技術の試みでは、ＡＣＫ／ＮＡＣＫフィードバックの信頼性を高めて、基地局２０がＰＵＳＣＨで送信されるユーザデータをＡＣＫとして誤って解釈することを防止することに焦点を当てている。本発明の種々の実施形態では、別のアプローチを実行して、ユーザ端末１００がユーザデータをＰＵＳＣＨで送信しているときのＡＣＫの誤検出の問題を解決する。更に詳細には、本発明の実施形態では、ＰＤＣＣＨでユーザ端末１００に送信されるスケジューリング情報の信頼性を、ユーザ端末１００がＰＵＣＣＨまたはＰＵＳＣＨを利用してＡＣＫ／ＮＡＣＫフィードバックを行なうと予測されるか否かによって変わるように変化させる。ユーザ端末１００がＰＵＣＣＨを利用してＡＣＫ／ＮＡＣＫフィードバックを送信すると予測される場合、基地局２０は、スケジューリング情報をユーザ端末１００に、通常の信頼性のＰＤＣＣＨで送信することができる。例えば、基地局２０は、スケジューリング情報のＰＤＣＣＨでの送信に用いられるシグナリングパラメータ群を制御して、約１％のエラー率を達成してもよい。ＡＣＫ／ＮＡＣＫフィードバックがＰＵＣＣＨ上で送信される場合、ＡＣＫ／ＮＡＣＫフィードバックが送信されていないのにＡＣＫが検出される確率を約１％にまで低くするのに十分な繰り返し処理、拡散処理、及び符号化処理による処理利得がある。したがって、ユーザ端末１００がスケジューリングされる場合に、ＡＣＫの誤検出が基地局２０により検出される確率は、ＰＤＣＣＨでの送信が通常の信頼性で行なわれ、かつＡＣＫ／ＮＡＣＫフィードバックがＰＵＣＣＨで送信される場合に約１０−４となる。
【００２２】
ユーザ端末１００がＡＣＫ／ＮＡＣＫフィードバックをＰＵＳＣＨで送信すると予測される場合、基地局２０は、高度の信頼性でシグナリング情報をユーザ端末１００にＰＤＣＣＨで送信することができる。シグナリング情報の信頼性は、例えばＰＤＣＣＨの送信電力を大きくする、集約レベルを上げる、またはこれらの操作を組み合わせることにより高めることができる。一例として、基地局２０は、高度の信頼性が要求される場合に、ＰＤＣＣＨのシグナリングパラメータを制御して約０．１％のエラー率を達成することができる。また、ＡＣＫ／ＮＡＣＫフィードバックをＰＵＳＣＨで送信するためのシグナリングパラメータを制御して、約１０％のエラー率を達成することができる。このようにして、ＡＣＫの誤検出の検出確率は、基地局２０が高度の信頼性で送信をＰＤＣＣＨで行ない、かつユーザ端末１００がＡＣＫ／ＮＡＣＫシグナリングをＰＵＳＣＨで送信する場合に１０−４となる。
【００２３】
本明細書において使用される「通常の信頼性」及び「高度の信頼性」という用語は、信頼性の特定レベルを指すのではなく、相対的な用語として使用される。通常の信頼性とは、いずれの所望の信頼性レベルとすることもできる基準の信頼性レベルを指す。「高度の信頼性」という用語は、基準（通常）レベルよりも高い信頼性レベルを指す。同様に、「低信頼性」及び「高信頼性」という用語は、相対的な用語として用いられる。
【００２４】
図２は、データブロックに関連する制御情報をユーザ端末１００にダウンリンク共有チャネルで送信するために基地局２０が実行する例示的な手順２００を示している。手順２００は、ユーザ端末１００がダウンリンク送信を受信するようにスケジューリングされる場合のスケジューリング手順の一部として行なわれる。ユーザ端末１００がダウンリンク送信を受信するようにスケジューリングされる場合、基地局２０のスケジューラは、ユーザ端末１００が、ダウンリンク共有チャネルで送信されるデータパケットに関連するＡＣＫ／ＮＡＣＫフィードバックを送信するためにどのチャネルを使用すると予測されるかについて判断する（ブロック２０２）。ＬＴＥシステムが上述のようなシステムである場合、ユーザ端末１００は、ＰＵＣＣＨまたはＰＵＳＣＨのいずれかを利用してＡＣＫ／ＮＡＣＫフィードバックを送信することができる。ＬＴＥシステムにおいて使用されるように設計される例示的な実施形態では、ＰＵＣＣＨで送信されるＡＣＫ／ＮＡＣＫフィードバックは、ＰＵＳＣＨで送信されるＡＣＫ／ＮＡＣＫフィードバックよりも高い信頼性を有する。基地局２０のスケジューラが、ユーザ端末１００が、より高い信頼性のチャネル（例えば、ＰＵＣＣＨ）を利用してＡＣＫ／ＮＡＣＫフィードバックを送信すると予測する場合、基地局２０は、スケジューリング情報を通常の信頼性のダウンリンク制御チャネルで送信する（ブロック２０４）。これとは異なり、基地局２０が、ユーザ端末１００が低信頼性チャネル（例えば、ＰＵＳＣＨ）を利用してＡＣＫ／ＮＡＣＫフィードバックを送信すると予測する場合、基地局２０は制御情報を高度の信頼性で送信する（ブロック２０６）。ＰＤＣＣＨで送信される制御情報の信頼性を高くすることにより、ユーザ端末１００がＰＤＣＣＨの復号化に成功する確率が高くなり、それに応じて、ユーザ端末１００が当該ユーザ端末にＰＤＣＣＨで送信されるスケジューリング情報を紛失する確率が低くなる。
【００２５】
図３は、本発明の一実施形態による例示的な基地局２０を示している。基地局２０は、アンテナ２２に接続されるトランシーバ２４と、ベースバンドプロセッサ２６とを備え、このベースバンドプロセッサ２６は、スケジューラ２８とＨＡＲＱコントローラ３０とを含む。トランシーバ２４は、ＬＴＥ規格、ＷＣＤＭＡ規格、ＷｉＭａｘ規格のようないずれかの公知の規格に従って動作する標準的なセルラートランシーバを備える。ベースバンドプロセッサ２６は、基地局２０によって送受信される信号を処理する。ベースバンドプロセッサ２６が実行する代表的な処理機能として、変調／復調、チャネル符号化／復号化、インターリーブ処理／逆インターリーブ処理などを挙げることができる。ベースバンドプロセッサ２６は、１つ以上のプロセッサ、マイクロコントローラ、ハードウェア回路、またはこれらの要素の組み合わせを備えることができる。ベースバンドプロセッサ２６が実行する命令は、固体メモリ（例えば、ＲＯＭ、フラッシュメモリなど）のようなコンピュータ読み取り可能な媒体に格納することができる。ベースバンドプロセッサ２６は、共有アップリンクチャネル及びダウンリンク共有チャネルを利用するユーザ端末１００をスケジューリングするスケジューラ２８と、ＨＡＲＱプロトコルを前に説明したように実行するＨＡＲＱコントローラ３０とを含む。
【００２６】
本発明は、勿論、本明細書に詳細に開示される方法以外の方法により、本発明の基本的な特徴から逸脱することなく実施することができる。本実施形態は、全ての点で、例示として捉えられるべきであり、制限的に捉えられるべきではなく、添付の請求項の意味及び均等範囲に包含される全ての変更は、これらの請求項に含まれるべきものである。
【図１】
2011522464.tif 000003
【図２】
2011522464.tif 000004
【図３】
2011522464.tif 000005
【国際調査報告】
2011522464.tif 000006
2011522464.tif 000007
2011522464.tif 000008